(57)【要約】      （修正有）【課題】鉄道において荷物を別便で届ける際、荷物の移動をタイムリーに行なえる物流認証システムを提供すること。【解決手段】受取人情報と、物流情報21及び物流ＩＤ情報とを含む物流伝票を発行する物流伝票発行手段を備え、受渡ボックスで読み取った配達人ＩＤ情報と、予め記憶した配達人ＩＤ情報とを照合すると共に、物流ＩＤ情報と通信手段により受信した受信情報に含まれる受渡ボックスに関する情報とを照合し、２つの照合結果がいずれも一致した場合に受渡ボックスを解錠可能にし、更に受取先の受渡ボックスで読み取った受取人ＩＤ情報と、通信手段により受信した受取人情報とを照合し、その照合結果が一致した場合に受渡ボックスを解錠可能にし、配達先として、受渡ボックスＢを選択指定することが出来るようにする。【選択図】図１
2006143342.tif 000002
【特許請求の範囲】
【請求項１】
受渡ボックスを利用して物品の受け渡しを行う際の物流認証システムにおいて、
物品を配達する物流手段と、
物品の配達区域として駅に配置した受渡ボックスと、
を備え、
前記物流手段には、
物品の受取人に関する受取人情報と、配達先の前記受渡ボックスに関する情報を含む物流情報及びその物流情報に関連付けられた物流ＩＤ情報と、を含む物流伝票を発行する物流伝票発行手段と、
前記物流伝票に含まれる情報を通信回線で前記受渡ボックスに伝送する伝送手段と、
を設け、
前記受渡ボックスには、
前記伝送手段により伝送された情報を受信する通信手段と、
前記通信手段により受信した受信情報を記憶する記憶手段と、
物品を配達する配達人の配達人ＩＤ情報を読み取る第１の読取手段と、
前記物流伝票の物流ＩＤ情報を読み取る第２の読取手段と、
物品を受け取る受取人の受取人ＩＤ情報を読み取る第３の読取手段と、
前記第１の読取手段により読み取った配達人ＩＤ情報と、予め記憶した配達人ＩＤ情報とを照合すると共に、前記第２の読取手段により読み取った物流ＩＤ情報と、前記通信手段により受信した受信情報に含まれる前記受渡ボックスに関する情報とを照合し、該２つの照合結果がいずれも一致した場合に前記受渡ボックスを解錠可能にする第１の解錠制御手段と、
前記第３の読取手段により読み取った受取人ＩＤ情報と、前記通信手段により受信した受信情報に含まれる受取人に関する受取人情報とを照合し、その照合結果が一致した場合に前記受渡ボックスを解錠可能にする第２の解錠制御手段と、
受渡ボックスが設置された駅名情報を記憶する駅名情報記憶手段と、
前記駅名情報記憶手段に記憶された駅名情報を選択可能に表示する駅名表示選択手段と、
を設け、
前記駅名表示選択手段により選択された駅名情報に基づいて、前記物流伝票発行手段が配達先の前記受渡ボックスに関する駅名情報を前記物流伝票に記録することを特徴とする物流認証システム。
【請求項２】
受渡ボックスが設置された駅の受渡ボックス設置場所情報を記憶する駅受渡ボックス設置場所情報記憶手段と、
前記駅名表示選択手段により選択された駅名情報に基づいて、前記駅受渡ボックス設置場所情報記憶手段に記憶されたその駅名情報に関連付けられたその駅の受渡ボックス設置場所情報を選択可能に表示する駅受渡ボックス設置場所表示選択手段と、
前記駅受渡ボックス設置場所表示選択手段により選択された駅受渡ボックス設置場所情報に基づいて、前記物流伝票発行手段が配達先の前記受渡ボックスに関する駅名情報及び駅受渡ボックス設置場所情報を前記物流伝票に記録することを特徴とする請求項１に記載の物流認証システム。
【請求項３】
物流を管理する管理センターを設け、該管理センターを経由して前記物流伝票に含まれる情報を通信回線で前記受渡ボックスに伝送することを特徴とする請求項１または請求項２に記載の物流認証システム。
【請求項４】
前記物流手段は、物品の発送元が配達すべき物品を預け入れる第２の受渡ボックスを含み、該第２の受渡ボックスに前記物流伝票発行手段を設けたことを特徴とする請求項１〜３のいずれか１項に記載の物流認証システム。
【請求項５】
前記物流ＩＤ情報は、前記物流伝票に記載されたバーコード情報または物品に添付する形態のデータキャリアに記憶された情報であることを特徴とする請求項１〜４のいずれか１項に記載の物流認証システム。
【請求項６】
前記受取人ＩＤ情報は、携帯電話機から発信される電話番号情報であることを特徴とする請求項１〜５のいずれか１項に記載の物流認証システム。
【発明の詳細な説明】
【技術分野】
【０００１】
本発明は受渡ボックスを利用して物品の受け渡しを行う際の物流認証システムに関するものである。
【背景技術】
【０００２】
従来から、多数の購買予約者に陶器やアクセサリー等の物品を定期的に頒布する頒布事業が普及している。また最近ではインターネットによる物品購入形態も広く利用されている。いずれの場合も物品の販売元（発送元）が宅配事業者等の物流事業者にその配達を依頼して物品購入者に配達する方式が一般に採用されている。
【０００３】
物流事業者は物品の販売元で配達すべき物品を配達先情報等と共に受け取り、一旦物流センターに収集し、そこで発送人の住所、氏名、電話番号等の発送人に関する情報、配達先の住所、氏名、電話番号等の配達先に関する情報、配達期日等の物流情報を記載した物流伝票を発行する。
【０００４】
そして、物品とその物流伝票をセットにして配達区域ごとに区分けした後、配達車に積載して配達先（物品購入者）の家まで配達する。尚、配達先が不在のときは一旦物流センター等に物品を戻して後日再配達することになる。
【０００５】
一方、近年になって宅配人を名乗る不審者が家庭を訪問することも多く、セキュリティ上問題になっている。そのため自宅で物品を受け取るより近所のコンビニエンス・ストア（以下、「コンビニ」という）等で受け取ることを希望する配達先も増えている。
【０００６】
そこで、このような要望に答えるため、コンビニ、駅、ショッピング・センター（ショッピング・モール）等に複数の収容部を備えた受渡ボックスを設置し、物流事業者がその受渡ボックスの収納部に物品を配達して施錠しておき、後から受取人が収容部を解錠して物品を受け取るシステムが実用化されている。
【０００７】
更に各地域に分散設置された多数の受渡ボックスを管理センターで集中管理し、予約管理、稼動管理、料金管理等を一括管理するシステムも実用化されている。このように各地域に分散配置した受渡ボックスは宅配等の物流事業者の事業形態とも適合するため、それら各区域に設置した多数の受渡ボックスの使用権を一括契約（会員契約）することも多い。会員契約した物流事業者にはそれぞれ必要数の配達人ＩＤ（ＩＤentification；身分証明書）が割り当てられるので、物流事業者の配達人は、その配達人ＩＤを利用して任意の受渡ボックスを自由に解錠及び施錠することが出来る。
【０００８】
一方、大量の物品を定期的に発送する物品頒布事業者や通信販売事業者には、その発送部門に接して専用の受渡ボックスを設置することがある。この場合には当該受渡ボックスを契約した１または複数の物流事業者の配達人が物品の集荷サービスを行うようになっている。
【０００９】
また、ジェイアール（日本旅客鉄道）各社の鉄道を利用して旅行或いは仕事で出張する際に荷物の配達を旅先或いは出張先の駅に別便で届けて欲しいという要望もあるが、人の移動に伴って荷物の移動をタイムリーに行なえる物流システムの構築は今だ実現されていないのが現状である。
【００１０】
受渡ボックスを利用して物品の受け渡しを行う際の配達人と受取人に関する認証システムとして、例えば特開平11-151154号公報（特許文献１）、特開2001-325660号公報（特許文献２）に提案された方式がある。特許文献１には予め受渡ボックスに登録した配達人が、その配達人認証カードで受渡ボックスを解錠して物品を収容し、受取人はＩＣカード等の個人ＩＤで解錠して収容した物品を受け取るシステムが記載されている。また特許文献２には、携帯電話機による個人ＩＤ情報を利用して受渡ボックスを解錠するシステムが記載されている。
【００１１】
【特許文献１】特開平１１−１５１１５４号公報
【特許文献２】特開２００１−３２５６６０号公報
【発明の開示】
【発明が解決しようとする課題】
【００１２】
しかしながら、従来の受渡ボックスの認証システムでは、専ら個人ＩＤ情報を認証して施錠、解錠を行っているだけであるので、例えば特定の受渡ボックスに配達されてきた物品が、本来別の受渡ボックスに配達すべき物品のときもある。そのような場合、配達人ＩＤ情報だけで受渡ボックスを解錠して物品を収納してしまうと、受取人は当該物品を受け取れないことになる。
【００１３】
最近は同じ市街地に数百メートル置きに同じコンビニが設置されているので、各コンビニにそれぞれ同じ物流事業者が会員契約した受渡ボックスが設置されている場合には、誤って目的とする受渡ボックスに近い他の受渡ボックスに物品を配達する可能性が大きくなっている。また駅構内でも複数の改札口付近に受渡ボックスが設置されている場合には、誤って目的とする受渡ボックスに近い他の受渡ボックスに物品を配達する可能性が大きくなっている。
【００１４】
そこで本発明は、このような従来の受渡ボックスにおける認証システムの問題を解決すると共に、ジェイアール各社の鉄道を利用して旅行或いは仕事で出張する際に荷物の配達を旅先或いは出張先の駅に別便で届けて欲しいという要望に応えて人の移動に伴って荷物の移動をタイムリーに行なえる物流システムの構築を可能とする物流認証システムを提供することを目的とするものである。
【課題を解決するための手段】
【００１５】
前記目的を達成するための本発明に係る物流認証システムの第１の構成は、受渡ボックスを利用して物品の受け渡しを行う際の物流認証システムにおいて、物品を配達する物流手段と、物品の配達区域として駅に配置した受渡ボックスとを備え、前記物流手段には、物品の受取人に関する受取人情報と、配達先の前記受渡ボックスに関する情報を含む物流情報及びその物流情報に関連付けられた物流ＩＤ情報と、を含む物流伝票を発行する物流伝票発行手段と、前記物流伝票に含まれる情報を通信回線で前記受渡ボックスに伝送する伝送手段とを設け、前記受渡ボックスには、前記伝送手段により伝送された情報を受信する通信手段と、前記通信手段により受信した受信情報を記憶する記憶手段と、物品を配達する配達人の配達人ＩＤ情報を読み取る第１の読取手段と、前記物流伝票の物流ＩＤ情報を読み取る第２の読取手段と、物品を受け取る受取人の受取人ＩＤ情報を読み取る第３の読取手段と、前記第１の読取手段により読み取った配達人ＩＤ情報と、予め記憶した配達人ＩＤ情報とを照合すると共に、前記第２の読取手段により読み取った物流ＩＤ情報と、前記通信手段により受信した受信情報に含まれる前記受渡ボックスに関する情報とを照合し、該２つの照合結果がいずれも一致した場合に前記受渡ボックスを解錠可能にする第１の解錠制御手段と、前記第３の読取手段により読み取った受取人ＩＤ情報と、前記通信手段により受信した受信情報に含まれる受取人に関する受取人情報とを照合し、その照合結果が一致した場合に前記受渡ボックスを解錠可能にする第２の解錠制御手段と、受渡ボックスが設置された駅名情報を記憶する駅名情報記憶手段と、前記駅名情報記憶手段に記憶された駅名情報を選択可能に表示する駅名表示選択手段とを設け、前記駅名表示選択手段により選択された駅名情報に基づいて、前記物流伝票発行手段が配達先の前記受渡ボックスに関する駅名情報を前記物流伝票に記録することを特徴とする。
【００１６】
また本発明に係る物流認証システムの第２の構成は、前記第１の構成において、受渡ボックスが設置された駅の受渡ボックス設置場所情報を記憶する駅受渡ボックス設置場所情報記憶手段と、前記駅名表示選択手段により選択された駅名情報に基づいて、前記駅受渡ボックス設置場所情報記憶手段に記憶されたその駅名情報に関連付けられたその駅の受渡ボックス設置場所情報を選択可能に表示する駅受渡ボックス設置場所表示選択手段と、前記駅受渡ボックス設置場所表示選択手段により選択された駅受渡ボックス設置場所情報に基づいて、前記物流伝票発行手段が配達先の前記受渡ボックスに関する駅名情報及び駅受渡ボックス設置場所情報を前記物流伝票に記録することを特徴とする。
【００１７】
また本発明に係る物流認証システムの第３の構成は、前記第１、第２の構成において、物流を管理する管理センターを設け、該管理センターを経由して前記物流伝票に含まれる情報を通信回線で前記受渡ボックスに伝送することを特徴とする。
【００１８】
また本発明に係る物流認証システムの第４の構成は、前記第１〜第３の構成において、前記物流手段は、物品の発送元が配達すべき物品を預け入れる第２の受渡ボックスを含み、該第２の受渡ボックスに前記物流伝票発行手段を設けたことを特徴とする。
【００１９】
また本発明に係る物流認証システムの第５の構成は、前記第１〜第４の構成において、前記物流ＩＤ情報は、前記物流伝票に記載されたバーコード情報または物品に添付する形態のデータキャリアに記憶された情報であることを特徴とする。
【００２０】
また本発明に係る物流認証システムの第６の構成は、前記第１〜第５の構成において、前記受取人ＩＤ情報は、携帯電話機から発信される電話番号情報であることを特徴とする。
【発明の効果】
【００２１】
本発明に係る物流認証システムの第１の構成によれば、読み取った配達人ＩＤ情報と予め記憶した配達人ＩＤ情報を照合すると共に、読み取った物流ＩＤ情報と受信情報に含まれる受渡ボックスに関する情報とを照合し、２つの照合結果がいずれも一致した場合に受渡ボックスを解錠可能にするように構成しているため当該受渡ボックスに他の受渡ボックスに配達すべき物品を誤って収容することを防止出来、受取人は確実に希望する物品を受け取ることが出来る。
【００２２】
また、駅名表示選択手段により表示された駅名から物品を配達する先の受渡ボックスが設置された駅名を選択することが出来、該駅名表示選択手段により選択された駅名情報に基づいて、物流伝票発行手段が配達先の受渡ボックスに関する駅名情報を物流伝票に記録することで物品の配達先を容易に且つ確実に指定することが出来る。
【００２３】
本発明に係る物流認証システムの第２の構成によれば、先ず、駅名表示選択手段により表示された駅名から物品を配達する先の受渡ボックスが設置された駅名を選択し、更に駅受渡ボックス設置場所表示選択手段により表示されたその駅名に関連付けられたその駅の受渡ボックス設置場所から物品を配達する先の受渡ボックスが設置された場所を選択することが出来、該駅受渡ボックス設置場所表示選択手段により選択された駅受渡ボックス設置場所情報に基づいて、物流伝票発行手段が配達先の受渡ボックスに関する駅名情報及び駅受渡ボックス設置場所情報を物流伝票に記録することで物品の配達先を容易に且つ確実に指定することが出来る。
【００２４】
本発明に係る物流認証システムの第３の構成によれば、物流を管理する管理センターを設け、該管理センターを経由して物流伝票に含まれる情報を通信回線で受渡ボックスに伝送するように構成したことで、多数の受渡ボックスの物流認証と個人認証を効率良く集中管理出来る。
【００２５】
本発明に係る物流認証システムの第４の構成によれば、物流手段が物品の発送元から配達すべき物品を預け入れる第２の受渡ボックスを含み、その第２の受渡ボックスに物流伝票発行手段を設けた場合は、例えばその第２の受渡ボックスを物品頒布事業者や通信販売事業者の発送部門に設置し、その収容部に物品を収容する際に物流伝票発行手段で発行される物流伝票を収容する物品に添付することが出来る。尚、物流伝票は本来物流事業者が発行するものであるが、この場合は物流事業者と予め取り決めたルールに従って物品頒布事業者や通信販売事業者が代理発行する。
【００２６】
本発明に係る物流認証システムの第５の構成によれば、物流ＩＤ情報を物流伝票に記載されたバーコード情報または物品に添付する形態のデータキャリアに記憶された情報で構成したことで、物流ＩＤ情報の作成及びその認証に必要な構成が簡単化する。
【００２７】
本発明に係る物流認証システムの第６の構成によれば、受取人ＩＤ情報を携帯電話機から発信される電話番号情報とすることで、特別な暗証番号等を記憶する必要がない。また携帯電話機から受渡ボックスにアクセス、例えば携帯電話機から電話会社のサーバ装置を経由して受渡ボックスを呼び出す際に、前記サーバ装置は電話番号とそれに続くサブスクライブド番号（製品シリアル番号）の両者で通話の接続が可能になる。そのため例えば携帯電話機を紛失した場合に新しい携帯電話機に切り換えたときは、古いサブスクライブド番号が無効化されるので、紛失した古い携帯電話機で他人が解錠操作することを防止出来、高いセキュリティ性を確保出来る。
【発明を実施するための最良の形態】
【００２８】
図により本発明に係る物流認証システムの一実施形態を具体的に説明する。図１は本発明に係る物流認証システムの第１実施形態の構成を示す説明図、図２は物流伝票の１例を示す図、図３は図１に示す受渡ボックスＡまたはＢの斜視図、図４は図１に示す受渡ボックスＡまたはＢと管理センターとの関係を説明するブロック図、図５は管理センターの構成を示すブロック図、図６〜図９は受渡ボックスの操作手順を説明するフローチャート、図10は物品の配達先として最寄駅に設置された受渡ボックスを選択する表示選択画面の一例を示す図である。
【００２９】
先ず、図１〜図10を用いて本発明に係る物流認証システムの第１実施形態の構成について説明する。図１に示す本発明に係る物流認識システムは、物品16を配達する物流手段30と物品16の配達区域に配置した受渡ボックスＢを備えている。そして物流手段30は大量の物品16を定期的に発送する物品頒布事業者や通信販売事業者の発送部門に設置した物品16の発送元が配達すべき物品16を預け入れる専用の受渡ボックスＡと、物流を管理する管理センター11と、物流センター31と、配達手段32を含んでいる。
【００３０】
図３及び図４に示すように、受渡ボックスＡ，Ｂにはテンキーや表示パネルを兼ねるタッチパネル、或いはマイク等の入力手段３ａや液晶表示装置やブラウン管ディスプレイ等の表示手段３ｂ、更にはスピーカー３ｃ、プリンタ３ｆ、カードリーダ３ｇ、カメラ３ｈ、バーコードリーダ３ｊ及びリードライト送受信部３ｋ等を配置したコントロールパネル３が設けられている。また、コントロールパネル３の正面に人が立ったことを検知する図示しない人感センサ等が設けられている。
【００３１】
また受渡ボックスＡ，Ｂには、該受渡ボックスＡ，Ｂが設置された駅名情報を記憶する駅名情報記憶手段となる駅名情報データベース（以下、「駅名情報ＤＢ」という）19、該受渡ボックスＡ，Ｂが設置された駅住所情報を記憶する駅住所情報記憶手段となる駅住所情報データベース（以下、「駅住所情報ＤＢ」という）23、該受渡ボックスＡ，Ｂが設置された駅の受渡ボックス設置場所情報を記憶する駅受渡ボックス設置場所情報記憶手段となる駅受渡ボックス設置場所情報データベース（以下、「駅受渡ボックス設置場所情報ＤＢ」という）24、物品16の配達先のホテル名情報を記憶するホテル名情報記憶手段となるホテル名情報データベース（以下、「ホテル名情報ＤＢ」という）25、物品16の配達先のホテル住所情報を記憶するホテル住所情報記憶手段となるホテル住所情報データベース（以下、「ホテル住所情報ＤＢ」という）26が設けられている。尚、駅住所情報、ホテル住所情報は所在地の地名番地の他に郵便番号情報等も含む。
【００３２】
一方、図４及び図５に示すように、コントロールパネル３とインターネット９等の通信回線を介して接続される管理センター11には、受渡ボックスＡ，Ｂを利用する特定の個人ＩＤ（ＩＤentification）情報を記憶する個人ＩＤ情報記憶手段となる個人ＩＤ情報データベース（以下、「個人ＩＤ情報ＤＢ」という）13と、受渡ボックスＡ，Ｂに預け入れる特定の物品16の物品情報や配達先の受渡ボックスＢに関する情報を含む物流情報21及びその物流情報21に関連付けられた物流ＩＤ情報22を記憶する物流ＩＤ情報記憶手段となる物流ＩＤ情報データベース（以下、「物流ＩＤ情報ＤＢ」という）14と、受渡ボックスＡ，Ｂに預けられた物品16の特定の決済情報を記憶する決済情報記憶手段となる決済情報データベース（以下、「決済情報ＤＢ」という）15が設けられている。
【００３３】
また、管理センター11に設けられたコンピュータ10は、個人ＩＤ情報記憶手段となる個人ＩＤ情報ＤＢ13に記憶された特定の個人ＩＤ情報と、物流ＩＤ情報記憶手段となる物流ＩＤ情報ＤＢ14に記憶された特定の物流ＩＤ情報22と、決済情報記憶手段となる決済情報ＤＢ15に記憶された特定の決済情報とを関連付けるＩＤ情報関連付け手段を兼ねている。
【００３４】
そして、ＩＤ情報関連付け手段となるコンピュータ10により関連付けられた特定の個人ＩＤ情報と、特定の物流ＩＤ情報22と、特定の決済情報とを含む特定の関連ＩＤ情報を記憶する関連ＩＤ情報記憶手段となる関連ＩＤ情報データベース（以下、「関連ＩＤ情報ＤＢ」という）20が管理センター11に設けられている。
【００３５】
また、物品16を管理する管理センター11には、物品16の受取人の自宅住所情報を記憶する受取人自宅住所情報記憶手段となる受取人自宅住所情報データベース（以下、「受取人自宅住所情報ＤＢ」という）18が設けられており、受取人は携帯電話機１を利用して電子メールで管理センター11に自宅住所情報を送信することにより該携帯電話機１の電話番号とその受取人の自宅住所情報とが関連付けられて受取人自宅住所情報ＤＢ18に記憶されて登録される。
【００３６】
図４において、１はインターネット９が利用可能な携帯電話機である。尚、本実施形態では、携帯電話機１としてＰＨＳ（Personal Handyphone System）も含む。この携帯電話機１に設けられたディスプレイ１ａと、「１〜９」までの数字と「♯、＊」の記号からなる所謂テンキー１ｂを利用したボタン入力操作によってインターネットサイト（情報番組）接続サービスや電子メール等の各種のオンラインサービスが利用出来るものである。
【００３７】
インターネット９が利用可能な携帯電話機１では、例えば、外出先や移動中でも銀行の残高照会や振込、各種チケットの予約、電子電話番号帳の番号検索、或いは天気予報、株価情報、ニュース速報、レストランガイド等、各種の情報サービス提供者が提供する各種オンラインサービスを利用することが出来、更には携帯電話機１同士や他のインターネット９に接続されたパーソナルコンピュータ（以下、単に「パソコン」という）との間でインターネットメール（e-mail；電子メール）としても利用出来る。
【００３８】
尚、通信回線としてはインターネット９の代りに専用回線や通信衛星等を利用した空中電波による通信網であっても良い。
【００３９】
携帯電話機１は各種電話会社のサーバ装置17を介して電話番号情報が発信されている。この電話番号情報を個人ＩＤ情報として設定することで個々人に唯一の個人ＩＤ情報を容易に付与することが出来る。
【００４０】
即ち、受渡ボックスＡ，Ｂを利用する特定の利用者が携帯する携帯電話機１から予め設定された受渡ボックスＡ，Ｂの電話番号に電話を掛けると、その携帯電話機１から各種電話会社のサーバ装置17を介して発信された個人ＩＤ情報としての電話番号情報を受渡ボックスＡ，Ｂのコントロールパネル３に設けられた電話機能を有する送受信部５で受信し、受渡ボックスＡ，Ｂのコンピュータ６がそれを認識して記憶手段となるメモリ７に記憶する。
【００４１】
受渡ボックスＡ，Ｂのコンピュータ６は、アクセスして来たその携帯電話機１の電話番号情報を送受信部５からインターネット９を介して管理センター11のコンピュータ10に送信し、個人ＩＤ情報ＤＢ13に記憶して格納する。
【００４２】
ここで、携帯電話機１は受渡ボックスＡ，Ｂを利用する特定の個人ＩＤ情報を入力する個人ＩＤ情報入力手段を兼ねる。
【００４３】
また携帯電話機１自体には製品シリアル番号（サブスクライブド番号）が付与されており、その製品シリアル番号と携帯電話番号が関連付けされて管理され利用されている。従って、万一、携帯電話機１を紛失したり盗難にあった場合でも製品シリアル番号に基づいてその携帯電話機１を無効にして利用不可とし、新規の携帯電話機１に同じ携帯電話番号を使用することが出来、個人ＩＤ情報を変更する手続も不要である。
【００４４】
また紛失したり盗難された携帯電話機１を不法に取得した者が本人に成りすまして受渡ボックスＡ，Ｂを利用しようとしても紛失届けや盗難届けによりその携帯電話機１の製品シリアル番号と携帯電話番号との関連付けが解除され、各種電話会社のサーバ装置17を介して電話番号情報が発信されることがなく、受渡ボックスＡ，Ｂの不法使用を防止することが出来る。
【００４５】
一方、物品16の受取人に関する受取人情報と、物品16自体の情報や配達先の受渡ボックスＢに関する情報を含む物流情報21及びその物流情報21に関連付けられた物流ＩＤ情報22は、特定の物品16に貼着された物流伝票２に印刷等により記載されたバーコード情報、或いは二次元バーコード情報、或いは物流伝票２に貼着等により添付する形態で取り付けられたデータキャリアの記憶部に記憶された情報として担持することが出来る。図２は物品16に貼着された物流伝票２に印刷等により記載されたバーコードに物流ＩＤ情報22が担持された一例を示す。
【００４６】
データキャリアとしてはＲＦＩＤタグ（Radio Frequency ＩＤentification TAG；高周波通信識別タグ）等のデータキャリアを採用することが出来る。データキャリアは半導体ＩＣ（Integrated Circuit）チップからなる制御部と送受信用のアンテナコイルを備え、例えばリードライト送受信部３ｋ等の通信手段との間で無線周波数の電磁波を利用した非接触通信により情報の書き込みや読み出しを行うことが出来る。
【００４７】
図３において、リードライト送受信部３ｋはデータキャリアを取り付けた物流伝票２を貼着した物品16を近付けることによりデータキャリアに記憶して担持されたその特定の物品16に関する情報や配達先の受渡ボックスＢに関する情報を含む物流情報21及びその物流情報21に関連付けられた物流ＩＤ情報22を読み取ることが出来る。
【００４８】
次にリードライト送受信部３ｋとデータキャリアとの間で電磁波通信を行う方法を説明する。コントロールパネル３の表面に配置したリードライト送受信部３ｋのアンテナコイルから例えば待機用の電磁波を常時発信しておき、物品16の物流伝票２に取り付けられたデータキャリアをリードライト送受信部３ｋに近づけると、データキャリアはその電磁波により電力を充電されて起動状態になる。
【００４９】
そして起動したデータキャリアのアンテナコイルから特定コード等を含む応答用の電磁波がリードライト送受信部３ｋのアンテナコイルに向かって発信される。この電磁波がリードライト送受信部３ｋのアンテナコイルによって受信される結果、データキャリアとリードライト送受信部３ｋとの間の通信が可能になる。逆にリードライト送受信部３ｋからデータキャリアに向かって電磁波を発信する場合も同様な原理で通信出来る。
【００５０】
バーコードリーダ３ｊは、物品16に貼着された物流伝票２に印刷されるか或いは貼着されて取り付けられたバーコード或いは二次元バーコードをスキャンすることで該バーコード或いは二次元バーコードに担持されたその特定の物品16に関する情報や配達先の受渡ボックスＢに関する情報を含む物流情報21及びその物流情報21に関連付けられた物流ＩＤ情報22を読み取ることが出来る。
【００５１】
ここで、リードライト送受信部３ｋ及びバーコードリーダ３ｊは、受渡ボックスＢに預け入れる特定の物品16に関する情報や配達先の受渡ボックスＢに関する情報を含む物流情報21及びその物流情報21に関連付けられた物流ＩＤ情報22を入力する物流ＩＤ情報入力手段を兼ねる。
【００５２】
携帯電話機１、或いはカードリーダ３ｇ及び入力手段３ａは、受渡ボックスＡ，Ｂに預けられた物品16の決済情報を入力する決済情報入力手段を兼ねており、携帯電話機１により電話料金に課金して決済が完了した旨の決済情報やカードリーダ３ｇによりキャッシュカードやクレジットカード或いはプリベイドカード等の種々のカードを利用して口座引落しやプリペイドにより決済が完了した旨の決済情報や、紙幣投入口３ｉやコイン投入口３ｌを利用して現金で決済が完了した旨の決済情報が決済情報ＤＢ15に記憶して格納される。図３において３ｍは釣り銭受けである。
【００５３】
個人ＩＤ情報ＤＢ13、物流ＩＤ情報ＤＢ14、決済情報ＤＢ15に記憶して格納された特定の各個人ＩＤ情報、物流ＩＤ情報及び決済情報は管理センター11のコンピュータ10により関連付けられて関連ＩＤ情報ＤＢ20に記憶して格納される。
【００５４】
そして、関連ＩＤ情報ＤＢ20に格納された個人ＩＤ情報、物流ＩＤ情報及び決済情報等の関連ＩＤ情報と、受渡ボックスＡ，Ｂを利用する際に、物品16を預け入れる預入人、物品16を配達する配達人、物品16を受け取る受取人等の各利用者が入力する各個人ＩＤ情報、物流ＩＤ情報及び決済情報とを照合し、解錠制御手段となるコンピュータ６により施錠機構８を制御して受渡ボックスＡ，Ｂを解錠し得るように構成されている。
【００５５】
各受渡ボックスＡ，Ｂの表面部には空き状態、予約状態、入荷状態等を知らせるためのランプ３ｅが設けられており、各受渡ボックスＡ，Ｂの内部には物品16の存在を検知して受渡ボックスＡ，Ｂの空き状態を検知する赤外線センサ３ｄが夫々設けられている。尚、赤外線センサ３ｄの他に重量センサや他の種々のセンサが適用可能である。
【００５６】
受渡ボックスＡ，Ｂの制御部４の内部には管理センター11のコンピュータ10との間で音声、文字、画像情報を送受信可能で通信機能を有する送受信部５と、ＣＰＵ（中央演算装置）等が組み込まれたコンピュータ６と、記憶手段として読み書き可能なメモリ７と、受渡ボックスＡ，Ｂの扉を施錠／解錠する施錠機構８が設けられている。
【００５７】
コンピュータ６はメモリ７からプログラムや各種データを読み出し、必要な演算や判断を行い、各種制御を行う。また、コンピュータ６にはカレンダー機能、時計機能及びタイマー機能及びカウンタ等が設けられている。
【００５８】
また、コンピュータ６は受渡ボックスＡ，Ｂの空き状態を検知する各赤外線センサ３ｄの検知した空き状態情報から受渡ボックスＡ，Ｂの空き状態を判別して収集し、通信手段となる送受信部５から通信回線となるインターネット９を介して図４に示す管理センター11に設けられたコンピュータ10に受渡ボックスＡ，Ｂの空き状態情報及び運営に関する各種記録データを適宜送信伝達する。
【００５９】
そして、管理センター11に設けられたコンピュータ10のサーバ装置10ａが通信回線となるインターネット９上に提供するウエブサイト（ホームページ）を介して受渡ボックスＡ，Ｂの配置位置情報、経過利用料金情報、入出荷情報、空き状態情報、更には預入依頼情報、預入承諾情報等を閲覧可能に提供しており、この情報に基づいて、利用者はインターネット９が利用可能な通信手段となる携帯電話機１、携帯情報端末機（ＰＤＡ；Personal Digital Assistant）、パーソナルコンピュータ（以下、「パソコン」という）等を利用して、これ等の情報を知得出来るようになっている。
【００６０】
また、解錠制御手段となるコンピュータ６は施錠機構８により受渡ボックスＡ，Ｂの扉を解錠してから赤外線センサ３ｄが物品の投入を検知するまでの時間を測定しており、予め設定された時間を経過した場合には、施錠機構８により受渡ボックスＡ，Ｂの扉を自動的に施錠するオートロックを作動させる。本実施形態では受渡ボックスＡ，Ｂの扉は未使用中もロックされたオートロック方式を採用している。
【００６１】
メモリ７はコンピュータ６が命令中のデータや演算結果、或いは送受信部５、入力手段３ａ、リードライト送受信部３ｋ、カードリーダ３ｇ、バーコードリーダ３ｊ等を介して入力された各種情報を一時記憶すると共に、管理センター11から送信された各種情報を一時記憶するワーキングエリア、コンピュータ６が動作するための各種プログラムや、各種データを記憶して格納しておくバッファエリア等からなっている。
【００６２】
そして、メモリ７に記憶された送受信部５、入力手段３ａ、リードライト送受信部３ｋ、カードリーダ３ｇ、バーコードリーダ３ｊ等を介して入力された個人ＩＤ情報、物流ＩＤ情報22、及び決済情報と、管理センター11から送信された関連ＩＤ情報とされた個人ＩＤ情報、物流ＩＤ情報22、及び決済情報とをコンピュータ６が比較演算して両者が一致した場合に施錠機構８により受渡ボックスＡ，Ｂの扉を解錠する。
【００６３】
受渡ボックスＡ，Ｂの扉は使用前は常時施錠された所謂、オートロック状態であり、これにより悪戯やごみ捨て場と化すことを未然に防止出来るようになっている。
【００６４】
また、通信機能を有する送受信部５はインターネット９を介して管理センター11に設けられたコンピュータ10に接続されており、該コンピュータ10の記憶手段となるメモリ12に記憶して格納されている複数の受渡ボックスＡ，Ｂの空き状態情報や各地の各場所に設置された受渡ボックスＡ，Ｂの配置位置情報及びそれ等の空き状態情報等の情報がインターネット９を介して送受信部５からコンピュータ６に送られ、更には記憶手段となるメモリ７に記憶して格納されている物品16の入出荷情報や利用者の経過利用料金情報等の情報と共に該送受信部５からコンピュータ10を経由して通信手段となる携帯電話機１や携帯情報端末機やパソコン等に音声や文字、画像情報として提供される。
【００６５】
ここで、受渡ボックスＡ，Ｂの予約を行う予約人（物品16を預け入れる預入人、物品16を受け取る受取人、或いは物品16の配達を行う配達人等）は、管理センター11のサーバ装置10ａがインターネット９上に提供するウエブサイト（ホームページ）に設けられた図示しない登録画面等を経由して氏名、住所、電話番号、メールアドレス、銀行等の引落し口座番号、クレジット番号等を予め管理センター11に登録して置き、その予約人に対して受渡ボックスＡ，Ｂの利用料金を課金する。
【００６６】
本実施形態では、予約人が管理センター11に予め登録した携帯電話機１の電話番号に対して課金する一例を示すが、課金決済方法は携帯電話機１の電話番号に課金する他に、銀行等の指定口座からの自動引落しやクレジットカード等への課金、或いは受渡ボックスＡ，Ｂでのプリペイドカードの使用度数の減算、現金支払い等であっても良い。
【００６７】
管理センター11には各所に設けられた受渡ボックスＡ，Ｂの通信手段となる送受信部５から送信された空き状態情報を随時記憶する記憶手段となるメモリ12が設けられており、空き状態検知手段となる赤外線センサ３ｄにより随時検知された物品の出入情報やコンピュータ10から随時伝達された予約の開始や終了、キャンセル等の各種の状態が随時更新されて記憶され、更には一連の経過情報が所定期間記憶して保存される。
【００６８】
10ａは管理センター11のメモリ12に随時更新して記憶された受渡ボックスＡ，Ｂの空き状態情報を通信網となるインターネット９上で閲覧可能に提供するサーバ装置である。
【００６９】
尚、管理センター11には、何らかのトラブルや問い合わせに対応出来るスタッフが常駐しているコールセンター11ａが設けられている。
【００７０】
物品16の発送元33が配達すべき物品16を預け入れる受渡ボックスＡのコンピュータ６及びプリンタ３ｆは、該物品16の受取人に関する受取人情報と、配達先の受渡ボックスＢに関する情報を含む物流情報21及びその物流情報21に関連付けられた物流ＩＤ情報22とを含む図２に示す物流伝票２を発行する物流伝票発行手段を兼ねる。
【００７１】
また受渡ボックスＡの送受信部５は、物流伝票２に含まれる情報を通信回線となるインターネット９を介して受渡ボックスＢの通信手段となる送受信部５に伝送する伝送手段を兼ねる。受渡ボックスＢの通信手段となる送受信部５により受信した受信情報は記憶手段となるメモリ７に記憶される。
【００７２】
受渡ボックスＢには、物流伝票２を発行する受渡ボックスＡから送られた情報を受信する通信手段となる送受信部５、その受信情報を記憶する記憶手段となるメモリ７、物品16を配達する配達人ＩＤ情報を読み取る第１の読取手段と、物流伝票２の物流ＩＤ情報を読み取る第２の読取手段と、物品16を受け取る受取人の受取人ＩＤ情報を読み取る第３の読取手段と、前記第１の読取手段により読み取った配達人ＩＤ情報と、予め記憶した配達人ＩＤ情報を照合すると共に、前記第２の読取手段により読み取った物流ＩＤ情報と、前記通信手段により受信した受信情報に含まれる受渡ボックスＢに関する情報とを照合し、該２つの照合結果がいずれも一致した場合に、受渡ボックスＢを解錠可能にする第１の解錠制御手段が設けられる。
【００７３】
更に受渡ボックスＢには、前記第３の読取手段により読み取った受取人ＩＤ情報と、前記通信手段により受信した受信情報に含まれる受取人に関する受取人情報とを照合し、その照合結果が一致した場合に、受渡ボックスＢを解錠可能にする第２の解錠制御手段が設けられる。
【００７４】
尚、上記通信手段は図４に示す送受信部５であり、記憶手段はメモリ７であり、配達人ＩＤ情報を読み取る第１の読取手段は図３及び図４に示すカードリーダ３ｇ、入力手段３ａ及びコンピュータ６であり、物流ＩＤ情報を読み取る第２の読取手段は図３及び図４に示すバーコードリーダ３ｊ、リードライト送受信部３ｋ及びコンピュータ６であり、受取人ＩＤ情報を読み取る第３の読取手段は電話機能を有する送受信部５及びコンピュータ６であり、第１、第２の解錠制御手段は図４に示すコンピュータ６及び施錠機構８である。
【００７５】
図１に示す物流センター31は、例えば宅配事業者等の物流事業者が設置するコンピュータを備えており、管理センター11から通信回線となるインターネット９で伝送される物品収集要請情報をコンピュータの記憶手段に記憶すると共に、その情報に基づいて、配達車両等の配達手段32に受渡ボックスＡへの物品受取情報を通信回線で送信する。
【００７６】
そして、配達手段32から配達状況に関する情報を通信回線となるインターネット９を経由して受け取り、それを記憶すると共に、必要に応じて記憶した情報を管理センター11に伝送する等の操作を行う。
【００７７】
受渡ボックスＡ，Ｂのコントロールパネル３に設けられたコンピュータ６及び表示手段３ｂは、図10及び図13に示すように、駅名情報ＤＢ19に記憶された駅名情報を選択可能に表示する駅名表示選択手段、該駅名表示選択手段により選択された駅名情報に基づいて、駅受渡ボックス設置場所情報ＤＢ24に記憶されたその駅名情報に関連付けられたその駅の受渡ボックス設置場所情報を選択可能に表示する駅受渡ボックス設置場所表示選択手段、ホテル名情報ＤＢ25に記憶されたホテル名情報を選択可能に表示するホテル名表示選択手段、物品16を受け取る受取人の自宅を物品16の配達先として選択可能に表示する自宅配達選択手段を兼ねている。
【００７８】
そして、受渡ボックスＡのコントロールパネル３に設けられたコンピュータ６及びプリンタ３ｆ等により構成される物流伝票発行手段は、前記駅受渡ボックス設置場所表示選択手段により選択された駅受渡ボックス設置場所情報に基づいて、物品16の配達先の受渡ボックスＢに関する駅名情報、駅住所情報及び駅受渡ボックス設置場所情報を物流伝票２に記録する。
【００７９】
また、受渡ボックスＡのコントロールパネル３に設けられたコンピュータ６及びプリンタ３ｆ等により構成される物流伝票発行手段は、前記ホテル名表示選択手段により選択されたホテル名情報に基づいて、物品16の配達先のホテル名情報、ホテル住所情報を物流伝票２に記録する。
【００８０】
また、受渡ボックスＡのコントロールパネル３に設けられたコンピュータ６及びプリンタ３ｆ等により構成される物流伝票発行手段は、前記自宅配達選択手段により受取人の自宅が物品16の配達先として選択された場合に該受取人の受取人ＩＤ情報となる携帯電話機１の電話番号情報に関連付けられ且つ受取人自宅住所情報ＤＢ18に記憶された物品16の受取人の自宅住所情報を物流伝票２に記録する。
【００８１】
即ち、受取人が物品16を預け入れる受渡ボックスＡに表示された電話番号に携帯電話機１を利用して電話を掛けると、その携帯電話機１から各種電話会社のサーバ装置17を介して発信された個人ＩＤ情報としての電話番号情報が受渡ボックスＡのコントロールパネル３に設けられた送受信部５で受信され、受渡ボックスＡのコンピュータ６がそれを認識してメモリ７に記憶すると共に、アクセスして来たその携帯電話機１の電話番号情報を送受信部５からインターネット９を介して管理センター11のコンピュータ10に送信し、受取人自宅住所情報ＤＢ18に予め登録された自宅住所情報から、アクセスして来たその携帯電話機１の電話番号情報に関連付けられたその受取人の自宅の住所情報を抽出してサーバ装置10ａがインターネット９を介して、その受渡ボックスＡのコントロールパネル３に設けられた送受信部５に返信し、受渡ボックスＡのコントロールパネル３に設けられたコンピュータ６及びプリンタ３ｆ等により構成される物流伝票発行手段がアクセスして来たその携帯電話機１の電話番号情報に関連付けられたその受取人の自宅住所情報を物流伝票２に記録する。
【００８２】
次に図１の受渡ボックスＡ，Ｂを利用して物品16の受け渡しを行う際の物流認識システムによる物品16の受け渡し方法について説明する。先ず、物品16の発送に際して、発送元33の発送担当者（預入人）は発送すべき物品16を受渡ボックスＡの収容部に収容する。その収容の手順を図６のフローチャートに示す。
【００８３】
図６において、ステップＳ１で受渡ボックスＡにアクセスする。アクセスは予め登録されている預入人の個人ＩＤ情報を入力することによって行う。入力方法は受渡ボックスＡの入力手段３ａから直接入力しても良いが、図１及び図４に示すように個人ＩＤ情報を識別可能な携帯電話機１から電話会社のサーバ装置17を経由して受渡ボックスＡを呼び出すことによって入力しても良い。後者の場合は、前述したように電話会社のサーバ装置17が携帯電話機１の固有の電話番号が正規なものと判断した場合に受渡ボックスＡとの間が接続可能になる。
【００８４】
預入人が受渡ボックスＡにアクセスすると、ステップＳ２で受渡ボックスＡはそれが予め記憶された個人ＩＤ情報（預入人ＩＤ情報）と一致するか否かを判断し、一致しないときはステップＳ３でやり直し表示をし、ステップＳ４で予め設定された所定時間が経過するまではステップＳ１に戻って待機する。
【００８５】
ステップＳ４において、所定時間経過しても入力された個人ＩＤ情報（預入人ＩＤ情報）と、予め記憶された個人ＩＤ情報（預入人ＩＤ情報）との一致判断がでないときは終了し、一致と判断したときはステップＳ５で物流事業者に関する情報、受取人に関する情報、受取用の受渡ボックスＢに関する情報、配達期日等を入力手段３ａにより指定する。尚、発送人に関する情報は自動的に指定される。
【００８６】
ここで、ステップＳ５において、物品16の配達先として、旅行先或いは出張先の最寄駅に設置された受渡ボックスＢか、旅行先或いは出張先の滞在予定のホテルか、或いは自宅かの何れかに選択指定することが出来る。本実施形態では物品16の配達先として、旅行先或いは出張先の最寄駅に設置された受渡ボックスＢを選択する場合の一例について図10を用いて説明する。
【００８７】
図６のステップＳ２において、個人ＩＤ情報（預入人ＩＤ情報）の照合が完了すると、受渡ボックスＡのコントロールパネル３の表示手段３ｂに図10（ａ）に示す配達先種別選択画面27が表示され、物品16を旅行先或いは出張先の最寄駅に設置された受渡ボックスＢへ届ける選択ボタン27ａを選択すると、図10（ｂ）に示す５０音からなる駅名頭文字選択画面28が表示される。そして駅名頭文字選択画面28で例えば所望の駅名「渋谷駅」の最初の文字「し」の文字を選択すると、図10（ｃ）に示す駅名選択画面29が表示される。
【００８８】
そして、図10（ｃ）に示す駅名選択画面29に表示された所望の駅名「渋谷駅」の選択ボタン29ａを選択すると、駅構内設置場所選択画面34が表示され、受渡ボックスＢが設置された所望の改札口である例えば「渋谷駅ハチ公口」の選択ボタン34ａを選択すると、受渡ボックスＡのコントロールパネル３に設けられた駅名情報ＤＢ19、駅住所情報ＤＢ23及び駅受渡ボックス設置場所情報ＤＢ24に格納された駅名情報、駅住所情報及び駅受渡ボックス設置場所情報がそれぞれ抽出されて物品16の配達先情報として、「〒150-0043  東京都渋谷区道玄坂１丁目１番  渋谷駅  ハチ公口  受渡ボックスＮｏ＊＊＊」が図２に示す物流伝票２の配達先住所欄に配達先に関する情報21ｂとして記録される。
【００８９】
尚、国内の駅の表示は郵便番号や住所を省略して、物品16の配達先情報として、単に「渋谷駅  ハチ公口  受渡ボックスＮｏ＊＊＊」を図２に示す物流伝票２の配達先住所欄に配達先に関する情報21ｂとして記録しても配達は可能である。最近では国際的に共通に使用出来る携帯電話機１の規格整備が行なわれている現状から物品16が海外や遠方地に設けられた受渡ボックスＡから渋谷駅の受渡ボックスＢに配達される場合には、日本国、東京都等の住所の一部を適宜図２に示す物流伝票２の配達先住所欄に配達先に関する情報21ｂとして記録しても良い。
【００９０】
このように物品16の配達先の指定が完了すると、図６のステップＳ６に示すように、指定した物流事業者が受け持つ範囲の受渡ボックスＡの収容部のひとつが解錠され、それと共に受渡ボックスＡのプリンタ３ｆから図２に示す物流伝票２の正と控が２枚つづりで自動的にプリントアウトされる。
【００９１】
物流伝票２には物品16の受取人に関する情報と配達先の受渡ボックスＢに関する情報を含む物流情報21とその物流情報21に関連付けられた物流ＩＤ情報22が記載され、その物流情報21には発送人の住所、氏名、電話番号等の発送人に関する情報21ａ、配達先の住所、氏名、電話番号等の配達先に関する情報21ｂ、その他配達期日等の情報が含まれる。
【００９２】
物流ＩＤ情報22は物流情報21を検索する場合のインデックス機能を有し、物流事業者の固有情報、物流事業者が割り当てた整理番号等が図示のような一次元バーコードまたは二次元バーコードにより表示される。
【００９３】
物流ＩＤ情報22を物流伝票２に記載する方法以外に、物流ＩＤ情報を記憶したデータキャリアを発行し、そのデータキャリアを物流伝票２、或いは物品16に直接取り付けることも出来る。その場合にはデータキャリアが物流伝票２の一部を構成するものとする。データキャリアの発行は例えば受渡ボックスＡの内部にライタ機を設け、入力手段３ａからの情報をそのライタ機に伝送することにより行う。
【００９４】
預入人はステップＳ７で物流伝票２の（正）を物品16に貼着または挟み込む等の方法で添付し、その物品16を解錠された収容部に収容する。するとステップＳ８で物品16が光センサー等で検出され、その検出信号により解錠制御手段は当該収容部の扉を自動的に施錠する。
【００９５】
光センサー等により物品16の収容を検出出来ないときはステップＳ９のように未収容表示を継続し、所定時間経過しても物品の収容を検出出来ないときは終了する。尚、物流伝票２の（控）は預入人が保管する。
【００９６】
物品16の保管が完了するとステップＳ12で受渡ボックスＡから管理センター11に通信回線で保管状況の更新データが伝送される。管理センター11はその情報に基づいて当該収容部を担当している物流事業者の運営する物流センター31に通信回線で物品16の集荷依頼情報を伝送する。
【００９７】
物流センター31はその集荷依頼情報に基づいて配達手段32を操作する配達人に受渡ボックスＡに出向くように通信回線で伝える。そして配達人は受渡ボックスＡの設置位置に移動し、収容されている物品16を受け取る。
【００９８】
図７は配達人による物品16の受け取り手順を示すフローチャートである。ステップＳ20で配達人は受渡ボックスＡにアクセスする。即ち、割り当てられたＩＣカード等を受渡ボックスＡのカードリーダ３ｇに差し込んで配達人ＩＤ情報を入力する。
【００９９】
ステップＳ21で配達人ＩＤ情報が受渡ボックスＡに予め登録された配達人ＩＤ情報と一致するか否かを判断し、一致しないときはステップＳ22でやり直し表示し、ステップＳ23において、所定時間経過したか否かを判断し、所定時間経過しない間はステップＳ20に戻る。ステップＳ23において、所定時間経過しても一致しないときは終了する。
【０１００】
ステップＳ21において、配達人ＩＤ情報が一致したときはステップＳ24で物品16が収容されている収容部の扉が解錠され、配達人は収容されている物品16とそれに添付された物流伝票２を取り出して受け取ることが出来る。物品16の受け取りが終了したか否かは光センサー等で検出されるが、ステップＳ25で物品16の受け取りを完了したと判断したら、ステップＳ26において扉がオートロックされ、ステップＳ27で受渡ボックスＡからその旨を通信回線で自動的に管理センター11に伝送し、一連のステップが終了する。
【０１０１】
一方、管理センター11はその物品16に関する物流情報21及び物流ＩＤ情報22を通信回線で配達先の受渡ボックスＢに伝送する。そして受渡ボックスＢは伝送情報をその記憶部であるメモリ７に記憶する。
【０１０２】
物品16を受け取った配達人は配達手段32を操作運転し、直接または物流センター31を経由して配達先の受渡ボックスＢに物品16を配達して預け入れる。
【０１０３】
図８はその手順を示すフローチャートである。ステップＳ30で配達人は受渡ボックスＢにアクセスする。即ち、ＩＣカード等を受渡ボックスＢのカードリーダ３ｇに差し込んで配達人ＩＤ情報を入力する。次にテップＳ31で配達人ＩＤ情報が受渡ボックスＢに予め登録して記憶された配達人ＩＤ情報と一致するか否かを判断し、一致しないときはステップＳ32でやり直し表示し、ステップＳ33において、所定時間経過したか否かを判断し、所定時間経過しない間はステップＳ30に戻る。ステップＳ33において、所定時間経過しても一致しないときは終了する。
【０１０４】
ステップＳ31において、配達人ＩＤ情報が一致したときはステップＳ34に移り、そこで配達人は物品16に添付された物流伝票２のバーコードで表示された物流ＩＤ情報22を受渡ボックスＢのバーコードリーダ３ｊにより読み取る。制御部４は読み取った物流ＩＤ情報22をインデックスとして、管理センター11から伝送されてきた情報を検索し、それに対応する配達先の受渡ボックスＢと、現在、配達人が操作している受渡ボックスＢとが一致しているか否かをステップＳ35で判断し、一致していない場合はステップＳ36で誤配達表示をして終了する。
【０１０５】
ステップＳ35において、受渡ボックスＢが一致していると判断した場合はステップＳ37で当該物流事業者が受け持つ収容部の扉が解錠される。そこで配達人は配達すべき物品16をその収容部に収容する。物品16の収容の有無は光センサー等で検出され、ステップＳ38で物品16の収容を確認したら、ステップＳ41で当該収容部を施錠し、更にステップＳ42でその旨を通信回線で管理センター11に伝送する。
【０１０６】
一方、ステップＳ38で物品16が収容されていないと判断したときは、ステップＳ39で未収容表示をし、ステップＳ40において、所定時間経過したか否かを判断し、所定時間経過しない間はステップＳ38に戻る。ステップＳ40において、所定時間経過しても一致しないときはステップＳ41に移って当該収容部を施錠し、更にステップＳ42でその旨を通信回線で管理センター11に伝送して終了する。
【０１０７】
管理センター11は受渡ボックスＢへの物品16の配達情報に基づいて、物品16の購入者である受取人にその旨を通信回線で伝送する。物品16の配達情報を受け取った受取人は受渡ボックスＢに出向き、配達された物品16を受け取る。
【０１０８】
図９は受取人による物品16の受け取り手順のフローチャートである。ステップＳ50で受取人は物品16の配達区域として駅に配置された受渡ボックスＢにアクセスする。即ち、携帯電話機１で受渡ボックスＢを呼び出す。（受渡ボックスＢに表示された電話番号に電話を掛ける。）すると携帯電話機１が正規なものであれば、電話会社のサーバ装置17を経由してその携帯電話機１と受渡ボックスＢとの間の回線が接続され、携帯電話機１の電話番号が受取人ＩＤ情報として入力される。尚、携帯電話機１でアクセスする代わりに入力手段３ａから受取人ＩＤ情報を直接入力してアクセスすることも出来る。
【０１０９】
ステップS51において、ステップＳ50で入力した受取人ＩＤ情報と管理センター11からの伝送情報に含まれる受取人に関する情報が一致するか否かが判断され、一致しないときはステップＳ52でやり直し表示をし、ステップＳ53において、所定時間経過したか否かを判断し、所定時間経過しない間はステップＳ50に戻って待機する。ステップＳ53において、所定時間経過しても一致情報が得られないときは終了する。
【０１１０】
ステップＳ54において、受取人ＩＤ情報が一致したと判断したときは、ステップＳ54で受取人が受け取るべき物品16が収容されている収容部の扉が解錠され、内部の物品16を取り出せる状態になる。ステップＳ55で物品16の受け取りが確認されたら、ステップＳ56で当該収容部を施錠し、更にステップＳ57で管理センター11に物品16の受取完了情報が通信回線で伝送される。そしてその情報は管理センター11に設けられたコンピュータ10の記憶部であるメモリ12に記憶される。
【０１１１】
次に図11を用いて本発明に係る物流認証システムの第２実施形態の構成について説明する。図11は本発明に係る物流認証システムの第２実施形態の構成を示す説明図である。尚、前記第１実施形態と同様に構成したものは同一の符号を付して説明を省略する。
【０１１２】
図11において、本実施形態が図１に示した第１実施形態と異なる部分は受渡ボックスＡが存在しない点であり、その他は略同様に構成される。本実施形態では発送元33から電話、ファックスまたは電子メール等で物流センター31に集荷依頼が出されると、物流センター31は担当する配達人に発送元33に出向いて物品16を集荷するように指示する。
【０１１３】
発送元33に到着した配達人はそこで物流情報21が記入された物流伝票２（物流ＩＤ情報22を除く）と物品16を受け取り、物流センター31に持ち帰る。物流センター31ではその物流伝票２に物流ＩＤ情報22を所定のルールに従って追記（印刷）すると共に、物品16を配達先の区域に仕分けする。尚、この場合も物流ＩＤ情報22を物流伝票２に記載する以外にデータキャリアに物流ＩＤ情報22を記憶させて物流伝票２或いは物品16に直接添付することも出来る。
【０１１４】
一方、物流センター31は当該物流伝票２の物流情報21を通信回線で管理センター11に伝送し、管理センター11はその物流情報21を配達先の受渡ボックスＢに通信回線で伝送する。その後の物品16の受け渡し手順は図１に示して前述した第１実施形態と同様であるので、説明を省略する。
【０１１５】
図12は物品を指定ホテルに配達する様子を示す説明図、図13は物品の配達先として指定ホテルを選択する表示選択画面の一例を示す図である。本参考例では物品16の預入人（受取人）が受渡ボックスＡに物品16を預け入れる際に、前述の図６のステップＳ５において、物品16の配達先として、旅行先或いは出張先の滞在予定のホテルを選択する場合の一例について図13を用いて説明する。
【０１１６】
即ち、前述の図６のステップＳ２において、個人ＩＤ情報（預入人ＩＤ情報）の照合が完了すると、受渡ボックスＡのコントロールパネル３の表示手段３ｂに図13（ａ）に示す配達先種別選択画面27が表示され、物品16を旅行先或いは出張先の滞在予定のホテルへ届ける選択ボタン27ｂを選択すると、図13（ｂ）に示すホテル名選択画面35が表示される。そしてホテル名選択画面35で例えば所望のホテル名「ホテルＢ」の選択ボタン35ａを選択すると、受渡ボックスＡのコントロールパネル３に設けられたホテル名情報ＤＢ25及びホテル住所情報ＤＢ26に格納されたホテル名情報及びホテル住所情報がそれぞれ抽出されて物品16の配達先情報として、「〒105-0001  東京都港区虎ノ門２丁目１０−４  ホテルＢ」が物流伝票２の配達先住所欄に配達先に関する情報21ｂとして記録される。
【０１１７】
このように物品16の配達先の指定が完了すると、前述した図６のステップＳ６に進み、受渡ボックスＡの収容部のひとつが解錠され、それと共に受渡ボックスＡのプリンタ３ｆから図２に示す物流伝票２の正と控が２枚つづりで自動的にプリントアウトされる。
【０１１８】
一方、配達人は図７に示して前述した物品16の受け取り手順に従って、受渡ボックスＡから物品16を受け取り、配達手段32を操作運転し、直接または物流センター31を経由して配達先のホテルに物品16を配達する。
【０１１９】
配達先のホテルのフロント等で預入人（受取人）が物品16を受け取る場合には、ホテルの電話番号に携帯電話機１を利用して電話を掛けると、その携帯電話機１から各種電話会社のサーバ装置17を介して発信された個人ＩＤ情報としての電話番号情報がホテルの着信番号表示装置36に表示され、物品16に添付された物流伝票２に記録された発送人に関する情報21ａに含まれる携帯電話機１の電話番号と照合した後、その受取人に物品16を受け渡すことが出来る。
【０１２０】
また物品16の配達先として自宅を選択指定する場合には、物品16の預入人（受取人）が受渡ボックスＡに物品16を預け入れる際に前述の図６のステップＳ５において、物品16の配達先として自宅を選択する。
【０１２１】
即ち、前述の図６のステップＳ２において、個人ＩＤ情報（預入人ＩＤ情報）の照合が完了すると、受渡ボックスＡのコントロールパネル３の表示手段３ｂに図13（ａ）に示す配達先種別選択画面27が表示され、物品16を自宅へ届ける選択ボタン27ｃを選択すると、預入人（受取人）が受渡ボックスＡに表示された電話番号に携帯電話機１を利用して掛けた際にその携帯電話機１から各種電話会社のサーバ装置17を介して発信された個人ＩＤ情報としての電話番号情報が受渡ボックスＡのコントロールパネル３に設けられた送受信部５で受信され、受渡ボックスＡのコンピュータ６がそれを認識してメモリ７に記憶すると共に、アクセスして来たその携帯電話機１の電話番号情報を送受信部５からインターネット９を介して管理センター11のコンピュータ10に送信し、管理センター11に設けられた受取人自宅住所情報ＤＢ18に予め登録された自宅住所情報から、アクセスして来たその携帯電話機１の電話番号情報に関連付けられたその受取人の自宅の住所情報を抽出してサーバ装置10ａがインターネット９を介して、その受渡ボックスＡのコントロールパネル３に設けられた送受信部５に返信し、受渡ボックスＡのコントロールパネル３に設けられたコンピュータ６及びプリンタ３ｆ等により構成される物流伝票発行手段がアクセスして来たその携帯電話機１の電話番号情報に関連付けられたその受取人の自宅住所情報を物品16の配達先情報として、例えば「〒101-0063  東京都千代田区神田淡路町１−２」が物流伝票２の配達先住所欄に配達先に関する情報21ｂとして記録される。
【０１２２】
このように物品16の配達先の指定が完了すると、前述した図６のステップＳ６に進み、受渡ボックスＡの収容部のひとつが解錠され、それと共に受渡ボックスＡのプリンタ３ｆから図２に示す物流伝票２の正と控が２枚つづりで自動的にプリントアウトされる。
【０１２３】
一方、配達人は図７に示して前述した物品16の受け取り手順に従って、受渡ボックスＡから物品16を受け取り、配達手段32を操作運転し、直接または物流センター31を経由して配達先の受取人の自宅住所に物品16を配達する。
【産業上の利用可能性】
【０１２４】
本発明の活用例として、受渡ボックスを利用して物品の受け渡しを行う際の物流認証システムに適用出来るものであり、特にジェイアール各社の鉄道を利用して旅行或いは仕事で出張する際に荷物の配達を旅先或いは出張先の駅に別便で届けて欲しいという要望に応えて人の移動に伴って荷物の移動をタイムリーに行なえる物流システムの構築を可能とする物流認証システムに適用出来る。
【図面の簡単な説明】
【０１２５】
【図１】本発明に係る物流認証システムの第１実施形態の構成を示す説明図である。
【図２】物流伝票の１例を示す図である。
【図３】図１に示す受渡ボックスの斜視図である。
【図４】図１に示す受渡ボックスと管理センターとの関係を説明するブロック図である。
【図５】管理センターの構成を示すブロック図である。
【図６】受渡ボックスの操作手順を説明するフローチャートである。
【図７】受渡ボックスの操作手順を説明するフローチャートである。
【図８】受渡ボックスの操作手順を説明するフローチャートである。
【図９】受渡ボックスの操作手順を説明するフローチャートである。
【図１０】物品の配達先として最寄駅に設置された受渡ボックスを選択する表示選択画面の一例を示す図である。
【図１１】本発明に係る物流認証システムの第２実施形態の構成を示す説明図である。
【図１２】物品を指定ホテルに配達する様子を示す説明図である。
【図１３】物品の配達先として指定ホテルを選択する表示選択画面の一例を示す図である。
【符号の説明】
【０１２６】
Ａ，Ｂ…受渡ボックス
１…携帯電話機
１ａ…ディスプレイ
１ｂ…テンキー
２…物流伝票
３…コントロールパネル
３ａ…入力手段
３ｂ…表示手段
３ｃ…スピーカー
３ｄ…赤外線センサ
３ｅ…ランプ
３ｆ…プリンタ
３ｇ…カードリーダ
３ｈ…カメラ
３ｉ…紙幣投入口
３ｊ…バーコードリーダ
３ｋ…リードライト送受信部
３ｌ…コイン投入口
３ｍ…釣り銭受け
４…制御部
５…送受信部
６…コンピュータ
７…メモリ
８…施錠機構
９…インターネット
10…コンピュータ
10ａ…サーバ装置
11…管理センター
11ａ…コールセンター
12…メモリ
13…個人ＩＤ情報ＤＢ
14…物流ＩＤ情報ＤＢ
15…決済情報ＤＢ
16…物品
17…サーバ装置
18…受取人自宅住所情報ＤＢ
19…駅名情報ＤＢ
20…関連ＩＤ情報ＤＢ
21…物流情報
21ａ…発送人に関する情報
21ｂ…配達先に関する情報
22…物流ＩＤ情報
23…駅住所情報ＤＢ
24…駅受渡ボックス設置場所情報ＤＢ
25…ホテル名情報ＤＢ
26…ホテル住所情報ＤＢ
27…配達先種別選択画面
27ａ〜27ｃ…選択ボタン
28…駅名頭文字選択画面
29…駅名選択画面
29ａ…選択ボタン
30…物流手段
31…物流センター
32…配達手段
33…発送元
34…駅構内設置場所選択画面
34ａ…選択ボタン
35…ホテル名選択画面
35ａ…選択ボタン
36…着信番号表示装置
【図１】
2006143342.tif 000003
【図２】
2006143342.tif 000004
【図３】
2006143342.tif 000005
【図４】
2006143342.tif 000006
【図５】
2006143342.tif 000007
【図６】
2006143342.tif 000008
【図７】
2006143342.tif 000009
【図８】
2006143342.tif 000010
【図９】
2006143342.tif 000011
【図１０】
2006143342.tif 000012
【図１１】
2006143342.tif 000013
【図１２】
2006143342.tif 000014
【図１３】
2006143342.tif 000015